【手続補正書】
【提出日】平成22年2月8日(2010.2.8)
【手続補正１】
【補正対象書類名】明細書
【補正対象項目名】特許請求の範囲
【補正方法】変更
【補正の内容】
【特許請求の範囲】
【請求項１】  対象画像を入力する画像入力手段と、
上記画像入力手段により入力された対象画像を符号化する符号化手段と、
上記符号化手段により得られた対象画像の符号化データの符号量を検知する符号量検知手段と、
上記画像入力手段により入力された対象画像に対して、空間周波数特性の補正を行う第１の空間周波数補正手段とを有し、
上記画像入力手段は、上記符号量検知手段の検知結果に基づいて、対象画像を再度入力し、
上記第１の空間周波数補正手段は、上記画像入力手段により再度入力された対象画像に対して、上記空間周波数特性の補正を行い、
上記符号化手段は、上記第１の空間周波数補正手段による補正後の対象画像を符号化することを特徴とする画像処理装置。
【請求項２】  上記画像入力手段は、対象画像と共に、対象画像内の領域の属性を示す属性フラグを入力し、
上記第１の空間周波数補正手段は、上記属性フラグに基づいて、上記空間周波数特性の補正を行うことを特徴とする請求項１記載の画像処理装置。
【請求項３】  上記第１の空間周波数補正手段は、上記属性フラグに基づいて、対象画像に含まれる領域毎に、空間周波数特性の補正を行うことを特徴とする請求項２記載の画像処理装置。
【請求項４】  上記符号化手段により得られた対象画像の符号化データを復号化する復号化手段と、
上記復号化手段で得られた復号化後の対象画像に対して、上記第１の空間周波数補正手段に対応する空間周波数特性の補正を行う第２の空間周波数補正手段を備えることを特徴とする請求項１記載の画像処理装置。
【請求項５】  上記第１の空間周波数補正手段は、対象画像のＭ×Ｎ画素のブロック毎に上記空間周波数特性の補正を行い、
上記符号化手段は、上記第１の空間周波数補正手段による補正後の対象画像に対して、Ｍ×Ｎ画素のブロック毎に量子化係数を選択して上記符号化を行うことを特徴とする請求項１記載の画像処理装置。
【請求項６】  上記符号化手段は、ＪＰＥＧ方式に符号化を行うことを特徴とする請求項１記載の画像処理装置。
【請求項７】  複数の機器が互いに通信可能に接続されてなる画像処理システムであって、上記複数の機器のうち少なくとも１つの機器は、請求項１〜６の何れか１項記載の画像処理装置の機能を有することを特徴とする画像処理システム。
【請求項８】  任意の画像を符号化するための画像処理方法であって、
入力対象画像を符号化する符号化ステップと、
上記符号化ステップにより得られた対象画像の符号化データの符号量を検知する符号量検知ステップと、
上記符号量検知ステップでの検知結果に基づいて、対象画像を再度入力させる再入力ステップと、
上記再入力ステップにより再入力された対象画像に対して、空間周波数特性の補正を行う空間周波数補正ステップと、
上記空間周波数補正ステップによる補正後の対象画像を符号化するステップとを含むことを特徴とする画像処理方法。
【請求項９】  上記空間周波数補正ステップでは、対象画像と共に入力された、対象画像内の領域の属性を示す属性フラグに基づいて、上記空間周波数特性の補正が行われることを特徴とする請求項８記載の画像処理方法。
【請求項１０】  対象画像を入力する画像入力ステップと、
上記画像入力ステップにより入力された対象画像を符号化する符号化ステップと、
上記画像入力ステップによって入力された対象画像に含まれる領域の属性を判別する像域分離ステップと、
上記符号化ステップにより得られた対象画像の符号化データの符号量を検知する符号量検知ステップと、
上記符号量検知ステップでの検知結果により、所定の符号量を達成できているか否かを判定する符号量判定ステップと、
上記符号量判定ステップでの判定結果に基づいて、上記画像入力ステップにより対象画像の再入力を行うか制御する再入力制御ステップと、
上記像域分離ステップでの判別結果に基づいて、上記再入力制御ステップで再入力された対象画像に含まれる領域毎に、空間周波数特性の補正を行う空間周波数補正ステップと、
上記空間周波数補正ステップでの補正後の対象画像を、上記符号化と同様に符号化するステップとを含むことを特徴とする画像処理方法。
【請求項１１】  対象画像を入力する画像入力ステップと、
上記画像入力ステップにより入力された対象画像を符号化する符号化ステップと、
上記画像入力ステップによって入力された対象画像に含まれる領域の属性を判別する像域分離ステップと、
上記符号化ステップにより得られた対象画像の符号化データの符号量を検知する符号量検知ステップと、
上記符号量検知ステップでの検知結果により、所定の符号量を達成できているか否かを判定する符号量判定ステップと、
上記符号量判定ステップでの判定結果に基づいて、上記画像入力ステップにより対象画像の再入力を行うか制御する再入力制御ステップと、
上記像域分離ステップでの判別結果に基づいて、上記再入力制御ステップで再入力された対象画像に含まれる領域毎に、空間周波数特性の補正を行う第１の空間周波数補正ステップと、
上記第１の空間周波数補正ステップでの補正後の対象画像を、上記符号化と同様に符号化して記憶部に記憶する記憶ステップと、
上記記憶部から上記対象画像の符号化データを読み出して復号化する復号化ステップと、
上記像域分離ステップでの判別結果に基づいて、上記復号化ステップで得られた復号化後の対象画像に含まれる領域毎に、空間周波数特性の補正を行う第２の空間周波数補正ステップとを含むことを特徴とする画像処理方法。
【請求項１２】  予め定められたサイズで分割された対象画像を入力する画像入力ステップと、
上記画像入力ステップによって入力された対象画像を代表する属性を判別する像域分離ステップと、
上記像域分離ステップでの判別結果に基づいて、量子化係数を選択する選択ステップと、
上記選択ステップで選択された量子化係数を用いて、上記画像入力ステップにより入力された対象画像を符号化する符号化ステップと、
上記符号化ステップにより得られた対象画像の符号化データの符号量を検知する符号量検知ステップと、
上記符号量検知ステップでの検知結果により、所定の符号量を達成できているか否かを判定する符号量判定ステップと、
上記符号量判定ステップでの判定結果に基づいて、上記画像入力ステップにより対象画像の再入力を行うか制御する再入力制御ステップと、
上記像域分離ステップでの判別結果に基づいて、上記再入力制御ステップで再入力された対象画像に対して、空間周波数特性の補正を行う空間周波数補正ステップと、
上記選択ステップで選択された量子化係数を用いて、上記空間周波数補正ステップでの補正後の対象画像を符号化するステップとを含むことを特徴とする画像処理方法。
【請求項１３】  予め定められたサイズで分割された対象画像を入力する画像入力ステップと、
上記画像入力ステップによって入力された対象画像を代表する属性を判別する像域分離ステップと、
上記像域分離ステップでの判別結果に基づいて、量子化係数を選択する選択ステップと、
上記選択ステップで選択された量子化係数を用いて、上記画像入力ステップにより入力された対象画像を符号化する符号化ステップと、
上記符号化ステップにより得られた対象画像の符号化データの符号量を検知する符号量検知ステップと、
上記符号量検知ステップでの検知結果により、所定の符号量を達成できているか否かを判定する符号量判定ステップと、
上記符号量判定ステップでの判定結果に基づいて、上記画像入力ステップにより対象画像の再入力を行うか制御する再入力制御ステップと、
上記像域分離ステップでの判別結果に基づいて、上記再入力制御ステップで再入力された対象画像に対して、空間周波数特性の補正を行う第１の空間周波数補正ステップと、
上記選択ステップで選択された量子化係数を用いて、上記第１の空間周波数補正ステップでの補正後の対象画像を符号化して記憶部に記憶する記憶ステップと、
上記記憶部から上記対象画像の符号化データを読み出して復号化する復号化ステップと、
上記像域分離ステップでの判別結果に基づいて、上記復号化ステップで得られた復号化後の対象画像に対して、空間周波数特性の補正を行う第２の空間周波数補正ステップとを含むことを特徴とする画像処理方法。
【請求項１４】  上記属性の情報は、上記画像入力ステップにより入力された対象画像を画素毎の属性を示す情報を含むことを特徴とする請求項１０又は１１記載の画像処理方法。
【請求項１５】  上記空間周波数特性の補正の処理では、上記像域分離ステップで写真領域の属性であると判別された場合に空間周波数特性の補正が行われることを特徴とする請求項１０〜１３の何れか１項記載の画像処理方法。
【請求項１６】  上記符号化は、ＪＰＥＧ方式の符号化を含むことを特徴とする請求項１０〜１３の何れか１項記載の画像処理方法。
【請求項１７】  請求項１〜６の何れか１項記載の画像処理装置の機能、又は請求項７記載の画像処理システムの機能をコンピュータに実現させるためのプログラムを記録したコンピュータ読出可能な記憶媒体。
【請求項１８】  請求項８〜１６の何れか１項記載の画像処理方法の処理ステップをコンピュータに実行させるためのプログラムを記録したコンピュータ読出可能な記憶媒体。
【手続補正２】
【補正対象書類名】明細書
【補正対象項目名】０００１
【補正方法】変更
【補正の内容】
【０００１】
【発明の属する技術分野】
本発明は、例えば、カラー画像を圧縮するための装置或はシステムに用いられる、画像処理装置、画像処理システム、画像処理方法、及びそれを実施するための処理ステップをコンピュータに実行させるためのプログラムを記録した記憶媒体に関するものである。
【手続補正３】
【補正対象書類名】明細書
【補正対象項目名】０００６
【補正方法】変更
【補正の内容】
【０００６】
そこで、本発明は、上記の欠点を除去するために成されたもので、圧縮による画像劣化を減少させることが可能な、画像処理装置、画像処理システム、画像処理方法、及びそれを実施するための処理ステップをコンピュータに実行させるためのプログラムを記録した記憶媒体を提供することを目的とする。
【手続補正４】
【補正対象書類名】明細書
【補正対象項目名】０００７
【補正方法】変更
【補正の内容】
【０００７】
【課題を解決するための手段】
斯かる目的下において、本発明に係る画像処理装置は、対象画像を入力する画像入力手段と、上記画像入力手段により入力された対象画像を符号化する符号化手段と、上記符号化手段により得られた対象画像の符号化データの符号量を検知する符号量検知手段と、上記画像入力手段により入力された対象画像に対して、空間周波数特性の補正を行う第１の空間周波数補正手段とを有し、上記画像入力手段は、上記符号量検知手段の検知結果に基づいて、対象画像を再度入力し、上記第１の空間周波数補正手段は、上記画像入力手段により再度入力された対象画像に対して、上記空間周波数特性の補正を行い、上記符号化手段は、上記第１の空間周波数補正手段による補正後の対象画像を符号化することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】